(57)【要約】【課題】外扉に設けた防盗板について、安価な製作費で高い防盗強度を確保できるように構造を改良する。【解決手段】扉の側縁部に本体キャビネットの外箱１ａとの合わせ面を外側から覆う防盗板１３を設けた自動販売機の外扉２において、前記防盗板を一枚板（鋼板）の板金製品として、外扉から背後に張り出す庇部１３ａをダブルホールドした重ね折り構造で形成し、この庇部から延在する二股状の取付基部１３ｂ，１３ｃを扉枠の内側に固定する。これにより防盗板１３の曲げ強度を大幅に増強して防盗性を高めることかでき、しかも二つの部品を溶接した従来構造と比べて大幅にコストダウンが図れる。【選択図】　　　図１
2004030414.tif 000002
【特許請求の範囲】
【請求項１】
本体キャビネットの前面に配した扉ロック付きの外扉であって、該外扉のヒンジと反対側の扉側縁から背後に張り出して外扉と本体キャビネットの外箱との合わせ面を外側から覆う防盗板を設けたものにおいて、
前記防盗板を一枚板の板金製品として、外扉から背後に張り出す庇部をダブルホールドの重ね折り構造で形成し、この庇部から延在する二股状の取付基部を扉枠の内側に固定したことを特徴とする自動販売機の外扉。
【発明の詳細な説明】
【０００１】
【発明の属する技術分野】
本発明は、自動販売機の扉ロック付き外扉に付設した防盗板に関する。
【０００２】
【従来の技術】
まず、自動販売機の構成を図２に示す。図において、１は庫内に商品収納ラックを搭載した断熱筐体になる自動販売機の本体キャビネット、２はヒンジ金具２ａを介して本体キャビネット１の前面に取付けた片開き式の外扉、８は外扉２のヒンジ金具２ａと反対側に設けた錠付きの扉ロックであり、該扉ロック８が外扉２を閉位置に鎖錠する。
【０００３】
なお、３は商品見本を展示するディスプレイ室、４は商品取出口、５はコイン投入口、６は紙幣挿入口、７は釣銭返却口であり、図示してないが外扉２の裏面には通貨関連機器としてコイン機構，ビルバリデータ，コイン回収ボックスなどを装備している。
次に、外扉２の扉ロック機構を図３に示す。図において、９は扉ロック８のハンドル後端に連結したロック釈放用レバー、１０はレバー９に連繋して外扉２に設けたスライダーロック、１１はスライダーロック１０に対向して本体キャビネット１の外箱前端に設けたフック板である。ここで、スライダーロック１０は長溝／段付きねじを介して上下方向にスライド可能に支持されたＵチャンネル体で、その壁面には前記レバー９およびフック板１１が嵌入する角穴１０ａ，１０ｂが開口している。また、フック板１１はその取付基部を本体キャビネット１の外箱に固定し、前方に突き出した部分の上縁に凹溝１１ａを形成した鉤形構造の板になる。
【０００４】
上記構成の扉ロック機構は周知であり、外扉２を閉じた状態ではスライダーロック１０がフック板１１の凹溝１１ａに係合して外扉２を閉位置に鎖錠している。この状態から鍵１２を使って扉ロック８のシリンダー錠を解錠した上で、ハンドルを開位置に回すとレバー９が図示鎖線位置から実線位置に回動してスライダーロック１０を上方に引き上げる。これにより、スライダーロック１０とフック板１１との係合が外れて外扉２を自由に開くことができるようになる。
【０００５】
しかしながら、前記した扉ロック機構を取付けただけでは、防盗性に次記のような弱点がある。すなわち、外扉２を閉じた扉ロックの状態でも、外扉２と本体キャビネット１との合わせ面に残る隙間ｇ（図３（ａ）　参照）に外部からバールなどの工具をこじ入れ、扉ロック機構を破壊した上で外扉２を開いて機内から金銭，商品を盗み出す手口の盗難を防ぐことができない。
【０００６】
そこで、従来では前記した盗み手口の防盗対策として、図４（ａ），（ｂ）　で示すように、外扉２の側縁（扉ロック８を設けた扉の側縁側）に沿って扉枠から背後に張り出し、外扉２と本体キャビネット１との間の合わせ面を隠すように外側から覆う庇状の防盗板１３を設けた防盗構造が知られている。
この防盗板１３は鋼板の板金製品になり、従来構造では図４（ｂ）　のように曲げ加工した防盗板１３の基部に別な取付脚板１４を溶接接合した上で、取付基部を外扉２の扉枠内面に重ね合わせ、ここにボルト１５を通して固定する。また取付脚板１４は扉ロック機構の背後を覆って扉本体にねじ止めしている。
【０００７】
前記の防盗板１３を外扉２に装備することにより、外扉２と本体キャビネット１との間の合わせ面にバールなどを直接こじ入れることができなくなって防盗性が高まる。
【０００８】
【発明が解決しようとする課題】
ところで、前記した従来構造の防盗板１３は防盗性能（強度），およびコスト面で次記のような難点がある。
すなわち、外扉２から背後に張り出した防盗板１３の庇部分は一枚板であることから十分な曲げ強度が得られず、このために図４（ａ）　で示すように防盗板１３の庇部先端と本体キャビネットの外箱１ａとの間の残る隙間へ矢印Ｐ方向（外扉２の後方側）からバールをこじ入れた場合には、簡単に変形して防盗板の機能が失われてしまう。そこで、従来では防盗板１３に板厚の厚い鋼板を使うなどして曲げ強度を高めるようにしているが、素材（鋼板）の板厚が厚くなると防盗板の板金加工がやりに難くなるほか、材料費が高くなる。また、従来の防盗板１３は脚板１４と組合せて扉枠に取付けるようにしているため、その製作には溶接工程が必要となることから製造コストが嵩む。
【０００９】
本発明は上記の点に鑑みなされたものであり、その目的は前記課題を解決し、安価な製作費で高い防盗強度を確保できるように防盗板の構造を改良した自動販売機の防盗板付き外扉を提供することにある。
【００１０】
【課題を解決するための手段】
上記目的を達成するために、本発明によれば、本体キャビネットの前面に配した扉ロック付きの外扉であって、該外扉のヒンジと反対側の扉側縁から背後に張り出して外扉と本体キャビネットの外箱との合わせ面を外側から覆う防盗板を設けたものにおいて、
前記防盗板を一枚板の板金製品として、外扉から背後に張り出す庇部をダブルホールドの重ね折り構造で形成し、この庇部から延在する二股状の取付基部を扉枠の内側に固定するものとする。
【００１１】
上記のように防盗板の庇部を一枚の鋼板をダブルホールドした重ね折り構造とすることで曲げ強度が大幅に増強されて防盗性が高まる。しかも、製作費の面でも二つの部品を溶接した従来構造と比べて大幅にコストダウンが図れる。
【００１２】
【発明の実施の形態】
以下、本発明の実施の形態を図１（ａ），（ｂ）　に示す実施例で説明する。なお、実施例の図中で図４（ａ），（ｂ）　に対応する部材には同じ符号を付してその説明は省略する。
すなわち、図示実施例においては、防盗板１３が一枚板（鋼板）の板金製品としてなり、外扉２から背後に張り出して本体キャビネットの外箱１ａとの合わせ面を外側から覆う庇部１３ａをダブルホールドした重ね折り構造で形成し、この庇部１３ａから延在する二股状の取付基部１３ｂ，１３ｃのうち、取付基部１３ｃを外扉２の扉枠にボルト１５で固定する。
【００１３】
上記の構成の防盗板１３は、庇部１３ａが鋼板をダブルホールドした重ね折り構造となるので、図４に示した従来構造と比べて曲げ強度が大幅に増強され、これにより高い防盗性が確保できる。しかも、二股状の取付基部１３ｂ，１３ｃを含めて一枚板の板金加工で安価に製作できる。
【００１４】
【発明の効果】
以上述べたように本発明によれば、外扉の側縁部に本体キャビネットの外箱との合わせ面を外側から覆う防盗板を設けた自動販売機の外扉において、前記防盗板を一枚板の板金製品として、外扉から背後に張り出す庇部をダブルホールドの重ね折り構造で形成し、この庇部から延在する二股状の取付基部を扉枠の内側に固定したことにより、
防盗板の曲げ強度を大幅に増強して防盗性を高めることかでき、しかも二つの部品を溶接した従来構造と比べて大幅にコストダウンが図れる。
【図面の簡単な説明】
【図１】本発明の実施例の構成図で、（ａ）　は防盗板を装備した外扉の要部構造を表す横断面図、（ｂ）　は（ａ）　における防盗板の断面図
【図２】自動販売機の正面図
【図３】図２の自動販売機に装備した扉ロックの機構図で、（ａ），（ｂ）　はそれぞれ側面図，および背面図
【図４】従来における防盗板付き外扉の構成図で、（ａ）　は要部構造の横断面図、（ｂ）　は（ａ）　における防盗板の断面図
【符号の説明】
１　　自動販売機の本体キャビネット
１ａ　外箱
２　　外扉
８　　扉ロック
１０　　スライダーロック
１１　　フック板
１３　　防盗板
１３ａ　庇部
１３ｂ，１３ｃ　取付基部
【図１】
2004030414.tif 000003
【図２】
2004030414.tif 000004
【図３】
2004030414.tif 000005
【図４】
2004030414.tif 000006